(57)【要約】【課題】  発光色が相違する複数種類のＬＥＤの発光量を調節して全体としての調色を行う場合には、各発光色のＬＥＤ毎に流れる電流値を制御する必要がある。各発光色のＬＥＤは単独で発光させ、発光するＬＥＤを順次高速で切り替えることによって全体としての調色を行う場合、ＬＥＤは順方向に印加される電圧が一定の電圧値（順方向電圧Ｖｆ）を超えるまで電流が流れないので、ＬＥＤを発光させるために上記ＦＥＴをオンにしても、実際にＬＥＤが発光するまでにタイムラグが生じ、調色制御時に照明器具全体としてちらつく。【解決手段】  照明器具内には各発光色のＬＥＤの各々に対して機種判別用の抵抗を並列に接続し、上記ＦＥＴに各々バイパス抵抗を並列に接続して、ＦＥＴがオフの状態でもＬＥＤに所定の電圧が印加されるようにした。【選択図】  図１
2019220354.tif 000002
【特許請求の範囲】
【請求項１】
複数の発光色の異なるＬＥＤが内蔵された照明器具が接続される電力供給部を有し、この電力供給部には各発光色のＬＥＤに電力を供給する電力供給線に各々ＦＥＴが直列に設けられ、このＦＥＴによって上記ＬＥＤに印加される電圧を制御して各発光色のＬＥＤの明るさを変更して照明器具全体としての調色を行うＬＥＤ調色照明装置において、上記照明器具内には各発光色のＬＥＤの各々に対して機種判別用の抵抗が並列に接続されており、上記ＦＥＴに各々バイパス抵抗を並列に接続して、各ＬＥＤの点灯時の応答時間を短縮することを特徴とするＬＥＤ調色照明装置。
【請求項２】
上記照明器具は上記各ＦＥＴに着脱自在に接続されることを特徴とする請求項１に記載のＬＥＤ調色照明装置。
【発明の詳細な説明】
【技術分野】
【０００１】
本発明は、１個の照明器具内に発光色の異なる複数のＬＥＤが内蔵され、この照明器具全体としての調色を行うＬＥＤ調色照明装置に関する。
【背景技術】
【０００２】
発光体としてＬＥＤを内蔵する照明器具では、ＬＥＤに印加する電圧を調節して明るさを変化させる調光機能を有するものがある。さらに、発光色の相違する複数種類のＬＥＤを１個の照明器具に内蔵させ、各発光色毎の発光量を調節することによって照明器具全体としての発光色を変化させる調色機能を有するものが知られている（例えば、特許文献１参照）。
【０００３】
このものでは照明器具内の各ＬＥＤに電力を供給する電力供給線に各々ＦＥＴを直列に接続して、各発光色毎の発光量を変化させるように構成されている。
【先行技術文献】
【特許文献】
【０００４】
【特許文献１】特開２０１６−２１９１４７号公報（図１、段落[００４６]）
【発明の概要】
【発明が解決しようとする課題】
【０００５】
ＬＥＤの明るさはＬＥＤに流れる電流にほぼ比例することが知られている。従って、上述のように、発光色が相違する複数種類のＬＥＤの発光量を調節して全体としての調色を行う場合には、各発光色のＬＥＤ毎に流れる電流値を制御する必要がある。ところが、１個の照明器具に対して１個の電源を設けている場合には、各発光色のＬＥＤを同時に点灯させたのでは各発光色のＬＥＤ毎の電流値の制御を行うことができない。そのため、各発光色のＬＥＤは単独で発光させ、発光するＬＥＤを順次高速で切り替えることによって全体としての調色を行う必要がある。
【０００６】
一方、ＬＥＤは順方向に印加される電圧が一定の電圧値（順方向電圧Ｖｆ）を超えるまで電流が流れない特性を有している。そのため、ＬＥＤを発光させるために上記ＦＥＴをオンにしても、実際にＬＥＤが発光するまでにタイムラグが生じる。そのため各発光色のＬＥＤを交互に点滅させる周波数を上げることができず、調色制御時に照明器具全体としてちらつきが生じる場合がある。
【０００７】
そこで本発明は、上記の問題点に鑑み、上述のような不具合が生じないＬＥＤ調色照明装置を提供することを課題とする。
【課題を解決するための手段】
【０００８】
上記課題を解決するために本発明によるＬＥＤ調色照明装置は、複数の発光色の異なるＬＥＤが内蔵された照明器具が接続される電力供給部を有し、この電力供給部には各発光色のＬＥＤに電力を供給する電力供給線に各々ＦＥＴが直列に設けられ、このＦＥＴによって上記ＬＥＤに印加される電圧を制御して各発光色のＬＥＤの明るさを変更して照明器具全体としての調色を行うＬＥＤ調色照明装置において、上記照明器具内には各発光色のＬＥＤの各々に対して機種判別用の抵抗が並列に接続されており、上記ＦＥＴに各々バイパス抵抗を並列に接続して、各ＬＥＤの点灯時の応答時間を短縮することを特徴とする。
【０００９】
各ＬＥＤには機種判別用の抵抗が並列に接続されているので、ＦＥＴがオフの状態でもＦＥＴに対して並列に接続されたバイパス抵抗を通って機種判別用抵抗に電流が流れる。すると、機種判別用抵抗の両端の電圧がＬＥＤに印加されることになり、その印加電圧を順方向電圧より低電圧に設定しておけば、ＦＥＴがオフの状態でＬＥＤは発光しない状態に保持され、かつ、ＦＥＴがオンすれば、ＬＥＤに印加される電圧はゼロではなく機種判別用抵抗の両端電圧から上昇するので、いち早く順方向電圧に到達し、その結果、ＦＥＴがオン状態になってから実際にＬＥＤが発光するまでのタイムラグを短くすることができる。
【００１０】
なお、上記照明器具は上記各ＦＥＴに着脱自在に接続されるものであれば、照明器具を取り外し、すぐさま再接続したような場合のように、所定の明るさに相当する電流をＬＥＤに流す指示がされている状態で照明器具が接続され、ＬＥＤに最初から順方向電圧以上の電圧が印加されるような場合であっても、ＦＥＴに接続したバイパス抵抗によって突入電流が緩和される。
【発明の効果】
【００１１】
以上の説明から明らかなように、本発明は、各発光色のＬＥＤに機種判別用の抵抗が並列に接続されたものであって、各発光色のＬＥＤに印加される電圧を制御するＦＥＴにバイパス抵抗を設けたので、ＦＥＴがオフの状態であっても所定の電圧をＬＥＤに印加させることができ、ＦＥＴをオンにしてから実際にＬＥＤが発光するまでのタイムラグを短くすることができる。
【図面の簡単な説明】
【００１２】
【図１】本発明の一実施の形態の構成を示す回路図の一部
【発明を実施するための形態】
【００１３】
図１を参照して、本発明によるＬＥＤ調色照明装置は、電力供給部１と照明器具２とで構成されている。本図では電力供給部１の出力部分の一部を示している。照明器具２内には発光色が相違する２種類のＬＥＤ２１，２２が並列に接続されている。さらに各ＬＥＤ２１，２２には各々機種判別用の抵抗２１Ｒ，２２Ｒが並列に接続されている。なお、本実施の形態では、ＬＥＤ２１の発光色は昼光色でＬＥＤ２２の発光色は電球色にすることによって、発光するＬＥＤをＬＥＤ２１，２２のいずれか一方に切り替えることによって調色するが、一方の発光色を白色にし、他方の発光色をオレンジにして両ＬＥＤの発光量の割合を変化させることによって照明器具２全体としての調色を行うように構成してもよい。
【００１４】
電力供給部１には１系統の出力が、各ＬＥＤ２１，２２の各々に電力を供給する電力供給線１１，１２に分岐されており、各電力供給線１１，１２にはＦＥＴ３，４が直列に接続されている。そして、各ＦＥＴ３，４のオン／オフは信号発生部３１，４１が発生するパルス信号によって切り替えられる。
【００１５】
例えば、ＦＥＴ３をオンにすると共にＦＥＴ４をオフにすれば照明器具２内ではＬＥＤ２１のみが点灯してＬＥＤ２２が消灯するので、照明器具２全体としては昼光色で発光する。
【００１６】
照明器具２は電力供給部１に対して着脱自在であり、内蔵されている２種類のＬＥＤが上記昼光色のＬＥＤ２１と電球色のＬＥＤ２２との構成とは相違する構成の異なる機種（型式）の照明器具である場合、電力供給部１側で接続されている照明器具の機種を自動判別し、その機種に合わせた電圧制御をすることが望ましい。そこで、この機種判別（型式判別）のために上記抵抗２１Ｒ、２２Ｒが設けられている。これら２個の抵抗２１Ｒ，２２Ｒは本図に示す照明器具２に対応する抵抗値に設定されており、他の機種ではその機種に応じた抵抗値に設定されている。
【００１７】
電力供給部１はＬＥＤ２１，２２を発光させる際にＬＥＤ２１，２２に印加される電圧が順方向電圧に到達する前の時点、すなわちＬＥＤ２１，２２が点灯する前の時点で機種判別部５が抵抗２１Ｒ，２２Ｒの抵抗値を分圧から検知して、照明器具２の機種を特定する。
【００１８】
ただし、ＬＥＤ２１，２２を点灯させる際にＬＥＤ２１，２２に印加される電圧をゼロから昇圧していくと、順方向電圧に到達するまでにタイムロスが生じる。そこで、本発明ではＦＥＴ３，４に各々バイパス抵抗３２，４２を並列に接続しているので、ＦＥＴ３，４がオフの状態であっても所定の電圧がＬＥＤ２１，２２の両端に印加されている。ＦＥＴ３，４がオンになった時点ですでに所定の電圧の電荷がＬＥＤ２１，２２に印加されている。そのため、その所定の電圧から順方向電圧まで昇圧するとＬＥＤ３，４は点灯を開始するので、ＦＥＴ３，４がオンになってからＬＥＤ２１，２２が点灯するまでのタイムラグを短くすることができる。更には、バイパス抵抗３２，４２がなければＦＥＴ３，４がオンになった時点で電力供給部１内に蓄電されている電荷が一気にＬＥＤ２１，２２に供給されることになり、ＬＥＤ２１，２２に突入電流が流れるが、バイパス抵抗３，４を設けていれば、バイパス抵抗３，４から機種判別用の抵抗２１Ｒ，２２Ｒを通って電荷が開放されているので、ＦＥＴ３，４のオン時に突入電流が発生しない。
【００１９】
ところで、上記実施の形態では、ＬＥＤ２１，２２は各々別個のＬＥＤとして示したが、１個のＬＥＤパッケージ内に複数種類のＬＥＤが設けられたタイプのものを用いてもよい。
【００２０】
なお、本発明は上記した形態に限定されるものではなく、本発明の要旨を逸脱しない範囲内において種々の変更を加えてもかまわない。
【符号の説明】
【００２１】
１ 電力供給部
２ 照明器具
３ ＦＥＴ
４ ＦＥＴ
５ 機種判別部
２１ ＬＥＤ
２２ ＬＥＤ
２１Ｒ （機種判別用の）抵抗
２２Ｒ （機種判別用の）抵抗
３２ バイパス抵抗
４２ バイパス抵抗
【図１】
2019220354.tif 000003